(57)【要約】【課題】照明器具の放熱性を良好にするとともに、器具寿命を長くする。【解決手段】照明器具１０は、ＬＥＤ３０と、ＬＥＤ３０から生じた光を拡散させる拡散部２２と、ＬＥＤ３０を放熱する放熱部３４と、駆動基板４０を放熱する放熱部４４と、放熱部３４，４４を通る空気流を生じさせる軸流ファン５０と、を備える。拡散部２２は、軸流ファン５０によって照明器具１０の外部から内部へ空気が取り入れられる取入孔２２０、及び軸流ファン５０によって照明器具１０の内部から外部へ空気を吐出する外部吐出孔２２２を有する。照明器具１０が取り付けられる天井板８０の取付面８００を境に、一方の空間と他方の空間とに分けたときに、軸流ファン５０は、取入孔２２０を介して一方の空間から空気を取り入れ、吐出孔２２２も一方の空間から空気を吐出する。【選択図】図２
2010153198.tif 000002
【特許請求の範囲】
【請求項１】
発光部と、
前記発光部を駆動する駆動回路と、
前記発光部及び／又は前記駆動回路を冷却するための送風機と、
前記発光部と、前記駆動回路と、前記送風機とを覆い、所定の被取付面にこの照明器具を取り付けるための取付部を備える筐体と、
を備え、
前記筐体は、前記送風機によって外部から筐体内に空気を取り入れる取入孔と、前記筐体内から前記外部へ前記空気を吐出する吐出孔とを有し、
前記取付部により前記筐体が取り付けられる被取付面を境に、一方の空間と他方の空間とに分けると、
前記取入孔と前記吐出孔とは共に前記一方の空間に連通しており、
前記送風機は、前記取入孔を介して前記一方の空間から前記空気を取り入れ、前記吐出孔を介して前記一方の空間に前記空気を吐出する、
ことを特徴とする照明器具。
【請求項２】
前記被取付面は壁面又は天井面であり、前記筐体が取り付けられる前記壁面又は天井面を境に、一方の空間と他方の空間とに分けると、
前記取入孔と前記吐出孔とは共に前記一方の空間に連通しており、
前記送風機は、前記取入孔を介して前記一方の空間から前記空気を取り入れ、前記吐出孔を介して前記一方の空間に前記空気を吐出する、
ことを特徴とする請求項１に記載の照明器具。
【請求項３】
前記被取付面は所定の厚みを有し、
前記取付部は、前記筐体が前記被取付面に埋め込まれ、且つ、前記一方の空間と他方の空間とに露出した状態で、前記筐体を前記被取付面に取り付ける、
ことを特徴とする請求項１又は２に記載の照明器具。
【請求項４】
前記取付部は、前記筐体を前記被取付面上に取り付け、
前記取入孔と前記吐出孔とは前記被取付面に形成された開口を介して前記一方の空間に連通する、
ことを特徴とする請求項１又は２に記載の照明器具。
【請求項５】
前記発光部は、前記一方の空間に発光方向が向けられている、
ことを特徴とする請求項１乃至４のいずれか１項に記載の照明器具。
【請求項６】
前記発光部は、発光ダイオードである、
ことを特徴とする請求項１乃至５のいずれか１項に記載の照明器具。
【請求項７】
前記照明器具内の前記送風機への電力供給路を接続又は切断する切替部を更に備える、
ことを特徴とする請求項１乃至６のいずれか１項に記載の照明器具。
【請求項８】
前記切替部はバイメタルスイッチであり、該バイメタルスイッチの周囲が所定の温度を超えると、前記送風機への電力供給路を接続する、
ことを特徴とする請求項７に記載の照明器具。
【請求項９】
前記発光部からの光を検出し、検出信号を出力するフォトセンサを更に備え、
前記切替部は、前記フォトセンサから発せられた検出信号を受けることで、前記送風機への電力供給路を接続する、
ことを特徴とする請求項７に記載の照明器具。
【請求項１０】
前記発光部から発生した熱を放熱する第１の放熱部を更に備え、
前記取入孔から、前記吐出孔へ流れる前記空気の流路上に、前記第１の放熱部を配設した、
ことを特徴とする請求項１乃至９のいずれか１項に記載の照明器具。
【請求項１１】
前記駆動回路から発生した熱を放熱する第２の放熱部を更に備え、
前記取入孔から、前記吐出孔へ流れる前記空気の流路上に、前記第２の放熱部を配設した、
ことを特徴とする請求項１乃至１０のいずれか１項に記載の照明器具。
【発明の詳細な説明】
【技術分野】
【０００１】
本発明は、放熱性を有する照明器具に関する。
【背景技術】
【０００２】
近年、ＬＥＤ（発光ダイオード）を用いた照明器具が各種製品化されているが、多くは２０Ｗ以下の小型の製品である。ＬＥＤは、熱に弱く、８０度以上で素子の劣化が始まり、発光効率が低下し、使用寿命が短くなる。更に、１００Ｗクラス以上となると、供給された電力の大半は熱となってＬＥＤ自体や器具の温度を上昇させてしまい、ＬＥＤに接続された電源ユニット、制御ユニット等の回路基板からの発熱や、ＬＥＤ自身の発熱量も無視できなる。したがって、高輝度のＬＥＤには、高い放熱性を有する部品や構造を備える必要があった。
【０００３】
そのため、ＬＥＤを用いた照明器具では、外囲器に熱伝導性の良い金属を用いたり、更に、放熱フィンの様に、外囲器に細かい凹凸を設けて空気との接触面積を増やしたりするようにして、ＬＥＤや駆動回路で発生した熱を外部へ放熱するようにしている。
【０００４】
また、例えば、特許文献１には、放熱性を向上させるため、ＬＥＤユニットを金属板に直接固定することで、周囲空間へ自然放熱させる天井用ＬＥＤ照明器具が開示されている。
【０００５】
【特許文献１】特開２００７−２７０７２号公報
【発明の開示】
【発明が解決しようとする課題】
【０００６】
天井埋め込みタイプのＬＥＤ照明器具は、壁に隔てられた天井裏の空間が断熱材で覆われていることが多く、外囲器を通して熱を逃がすことが困難であり、また、ＬＥＤ及び回路基板に熱せられた空気が滞留してしまい、器具内の温度が高くなる。このため、自然放熱でＬＥＤ及び回路基板から発生する熱を逃がすことは不可能である。また、特許文献１に開示された天井用ＬＥＤ照明器具は、天井に埋め込むようにして取り付けた場合には、放熱性を有する金属板の周囲温度も高くなり、十分な放熱効果は得られない。
【０００７】
また、ＬＥＤ及び回路基板の周囲に空気の対流を生じさせるため、単純にファンを設けるような構成にしたとしても、天井裏に埃を舞い上がらせたり、天井裏の埃を吸い込んで著しく器具寿命を短くしてしまったりする等の不都合があった。
【０００８】
本発明はかかる問題点に鑑みてなされたものであり、照明器具の放熱性を良好にするとともに器具寿命を長くすることを目的とする。
【課題を解決するための手段】
【０００９】
本発明に係る照明器具は、
発光部と、
前記発光部を駆動する駆動回路と、
前記発光部及び／又は前記駆動回路を冷却するための送風機と、
前記発光部と、前記駆動回路と、前記送風機とを覆い、所定の被取付面にこの照明器具を取り付けるための取付部を備える筐体と、
を備え、
前記筐体は、前記送風機によって外部から筐体内に空気を取り入れる取入孔と、前記筐体内から前記外部へ前記空気を吐出する吐出孔とを有し、
前記取付部により前記筐体が取り付けられる被取付面を境に、一方の空間と他方の空間とに分けると、
前記取入孔と前記吐出孔とは共に前記一方の空間に連通しており、
前記送風機は、前記取入孔を介して前記一方の空間から前記空気を取り入れ、前記吐出孔を介して前記一方の空間に前記空気を吐出する、
ことを特徴とする。
【発明の効果】
【００１０】
本発明によれば、照明器具の放熱性を良好にするとともに、器具寿命を長くすることができる。
【発明を実施するための最良の形態】
【００１１】
本発明の実施形態について添付の図面を参照して具体的に説明する。
【００１２】
（第１の実施形態）
図１に下面図、図２に側面断面図を示すように、本発明の第１の実施形態に係る照明器具１０は、主に、光を照射する複数のＬＥＤ３０と、ＬＥＤ３０へ駆動電力を供給する駆動回路４０２を有し、ＬＥＤ３０を駆動する駆動基板４０と、ＬＥＤ３０及び駆動基板４０のそれぞれの熱を放熱する放熱部３４，４４と、放熱部３４，４４へ空気流を送る軸流ファン５０（ファン５０）と、これらを囲む筐体２０と、から構成される。次に、これらについて詳細に説明する。
【００１３】
筐体２０は、桶状に形成された外囲体２１と、ＬＥＤ３０から発せられる光を拡散する後述する拡散部２２と、から構成されている。外囲体２１は、開放側の縁である下縁２１４が大径方向に拡げられている。照明器具１０は、外囲体２１の下縁２１４に取付部を備え、天井板８０の下面（被取付面）８００にねじなどで固定することによって、取り付けられる。
【００１４】
ＬＥＤ３０は熱伝導性に優れた例えば金属製のＬＥＤ取付基板３２に取り付けられている。また、ＬＥＤ取付基板３２の中央に開孔３２０が形成されている。また、ＬＥＤ３０から発生する熱を放熱する機能を有するものとして、放熱部３４が設けられている。放熱部３４の下面は、ＬＥＤ取付基板３２の上面の外縁に接続されている。放熱部３４は、熱伝導性の高い金属、例えば、アルミニウム、アルミニウム合金又は銅等から成り、略円筒状に形成されている。放熱部３４の側面は、放熱性を良好にするため、放射状に凹凸が形成されている。ＬＥＤ３０から発生した熱は、ＬＥＤ取付基板３２を介して放熱部３４に伝播する。
【００１５】
駆動基板４０は、図３（ａ）に示すように、フルブリッジ回路、平滑化回路等から構成されたＡＣ（交流）／ＤＣ（直流）コンバータ（図示せず）から構成される駆動回路４０２を備える。更に、この駆動基板４０上には、バイメタルスイッチ６０が配置されている。駆動回路４０２は、図示せぬＯＮ／ＯＦＦスイッチを備え、入力端が、電源プラグ９２を介して商用電源９０に接続され、出力端が、ＬＥＤ３０に接続され、更に、バイメタルスイッチ６０を介して軸流ファン５０に接続されている。駆動回路４０２は、ＯＮ／ＯＦＦスイッチがＯＮされると、電源プラグ９２を介して商用電源９０から供給される交流電源を、直流電源に変換して、ＬＥＤ３０に供給し、ＬＥＤ３０を点灯する。更に、ＬＥＤ３０及び駆動回路４０２の発熱によりバイメタルスイッチ６０が一定温度に達すると、バイメタルスイッチ６０がＯＮし、駆動回路４０２は、軸流ファン５０へも直流電力の供給を開始し、軸流ファン５０を回転させる。
【００１６】
また、駆動基板４０は、図２に示すように、放熱部３４に外縁を支持され、中央に後述する開孔４００が形成されている。更に、駆動基板４０から発生する熱を放熱する機能を有するものとして、放熱部４４が設けられている。放熱部４４は、駆動基板４０の開孔４００に連通するように、駆動基板４０の中央下面に接続されている。放熱部４４は、放熱部３４同様、熱伝導性の高い金属、例えば、アルミニウム、アルミニウム合金又は銅等から成り、略円筒状に形成されている。放熱部４４の側面は、放熱性を良好にするため、放射状に凹凸が形成されている。駆動回路４０２から発生した熱は、駆動基板４０を介して放熱部４４に伝播する。
【００１７】
ＬＥＤ３０の照光方向（図２に示される）下方には、ＬＥＤ３０から発せられる光を拡散する合成樹脂製の拡散部２２が配設されている。拡散部２２は、円板状に形成され、外縁の下端を外囲体２１に接続されている。なお、拡散部２２は、拡散部２２と外囲体２１との接続部の近傍に、照明器具１０の外部から内部へ空気を取り入れるための後述する複数の取入孔２２０が形成されている。また、拡散部２２の中央には、照明器具１０の内部から外部へ空気を吐出する後述する吐出孔２２２が形成されている。
【００１８】
軸流ファン５０は、放熱部３４の（図２に示される）上端に内設された上板２４の下面に接続されている。軸流ファン５０が動作することによって、照明器具１０に外部空気を取り入れるとともに排出する。つまり、軸流ファン５０が動作することによって、照明器具１０内に後述する空気の対流が生じる。
【００１９】
次に、本実施形態に係る照明器具１０の動作を、図２及び図３を参照して説明する。
【００２０】
図２に示すように、照明器具１０は、天井板８０等に埋め込まれて設置される。その電源プラグ９２（図３参照）は商用電源（コンセント）９０（図３参照）に接続されている。この状態で、図示せぬＯＮ／ＯＦＦスイッチがＯＮされると、駆動回路４０２は、商用電源９０から供給される交流電源を、直流電源に変換して、ＬＥＤ３０に供給し、ＬＥＤ３０を点灯する。ＬＥＤ３０からの光は、拡散部２２を介して、室内（第１の空間）を照明する。当初は、筐体２０内の温度は、室温であり、バイメタルスイッチ６０（図３参照）はオフしており、軸流ファン５０は回転していない。このため、筐体２０内は自然対流のみによって冷却される。
【００２１】
時間が経過して、ＬＥＤ３０及び駆動回路４０２からの発熱により筐体２０内の温度が上昇し、バイメタルスイッチ６０の温度が所定温度に達すると、バイメタルスイッチ６０がＯＮし、駆動回路４０２からの直流電力が軸流ファン５０に供給され、軸流ファン５０が回転を開始する。軸流ファン５０の回転により、筐体２０の下面の周縁部に形成された取入孔２２０から室内（第１の空間）内の空気が取り込まれ、筐体２０内に形成された流路を介して、中央部に配置された軸流ファン５０に導かれ、放熱部３４と４４を通過して熱を奪って、下面中に形成された吐出孔２２２から室内（第１の空間に）吐出される。これにより、筐体２０内が冷却され、温度は徐々に低下する。
【００２２】
軸流ファン５０の回転による冷却により、筐体２０内の温度が低下し、バイメタルスイッチ６０が所定の温度未満になると、軸流ファン５０への電力の供給が停止し、軸流ファン５０は停止する。以後、同様の動作が繰り返される。
【００２３】
以上説明したように、本実施形態においては、冷却風は、照明器具１０が取り付けられている天井板８０を境にして、室内（第１の空間）からのみ空気を取り込んで、筐体２０内を冷却し、冷却に使用した空気を室内に吐出する。従って、天井板８０で区切られた室内空間と天井裏空間（第２の空間）との間で、空気を流通させることなく、筐体２０内の冷却を行うことができる。しかも、清浄な室内の空気のみを冷却に使用するので、天井裏の空気を使用する場合と比較して、筐体２０内を清浄に維持することが可能となる。
また、筐体２０内の環境温度が所定の温度まで上昇したとき、すなわちＬＥＤ３０及び駆動回路４０２の冷却が必要なときだけ軸流ファン５０を動作させることができる。したがって、軸流ファン５０が常に動作している状況と比べ、照明器具１０の消費電力をセーブすることができる。
【００２４】
（第２の実施形態）
また、室内の空気を使用して、筐体内の冷却が可能ならば、冷却風の流通経路や冷却風を生成するための構成等は任意である。例えば、上記実施形態においては、軸流ファン５０を使用したが、これに限らず、遠心ファン５２（ファン５２）を用いるようにしてもよい。遠心ファン５２を用いた実施形態について、図４を参照して次に説明する。
【００２５】
第２の実施形態に係る照明器具１０は、軸流ファン５０の代替として遠心ファン５２を用いたものである。第２の実施形態は、第１の実施形態と異なり、空気が取り入れられる取入孔２２０は、拡散部２２の中央に形成され、空気が吐出される吐出孔２２２は、拡散部２２と外囲体２１との接続部の近傍の拡散部２２に形成されている。次に、本実施形態に係る照明器具１０のＬＥＤ３０及び駆動基板４０を冷却する作用について説明する。
【００２６】
使用者の操作に応じて、駆動基板４０内の駆動回路４０２が、遠心ファン５２の羽根５２０を回転駆動する。遠心ファン５２が回転駆動すると、照明器具１０内に空気流が発生する。図４に示される矢印は、遠心ファン５２によって生成される空気の流れを示すものである。この空気流の経路は、拡散部２２の中央に形成された取入孔２２０から、ＬＥＤ取付基板３２の中央に設けられた開孔３２０、駆動基板４０の中央に形成された開孔４００、上板２４の中央に形成された開孔２４０を介して、拡散部２２の周縁に形成された吐出孔２２２へと続くものである。遠心ファン５２によって生成された空気流は、空気流の経路上に配設された放熱部３４及び放熱部４４を空冷する。このように、放熱部３４及び放熱部４４を冷却することにより、これらに、接続されたＬＥＤ３０及び駆動基板４０を冷却することとなる。
【００２７】
上記、第１及び第２の実施形態に係る照明器具１０において、天井板８０の取付面８００を境として二つの空間に分けたときに、外部空気を取り入れる空間と、空気を吐出する空間とが同一空間となるように、取入孔２２０及び吐出孔２２２が形成されている。このため、本実施形態に係る照明器具１０は、取付面８００を境として断熱性を有する空間を一方に有する天井に取り付ける場合であっても、照明器具１０内に空気を効率よく循環させることができる。
【００２８】
本実施形態に係る照明器具１０は、天井板８０に取り付けるものとして説明したが、取り付ける位置はこれに限定せず、床や、図５に例示するように、壁８１等でもよい。
また、空気の取入口及び吐出口を、室内（一般に光源が光を照射し、清浄な環境の空間）に連通する構成を例示したが、図６に模式的に示すように、天井裏や室外などに取入口及び吐出口を連通させるように構成してもよい。この場合も、図６（ａ）に示すように、照明器具の１０の周縁部から吸引して中央部から吐出するように構成しても、図６（ｂ）に示すように、照明器具の１０の中央部から吸引して周縁部から吐出するように構成してもよい。
【００２９】
取付タイプも天井埋込みタイプに限定せず、図７に模式的に示すように、天井面取付タイプ、壁面取付タイプ又は床面取付タイプ等の面上に配置するタイプにも適用できる。この場合、（ａ）に示すように、天井８０に開孔８０２，８０４を形成することで、天井８０等を通して空気を取り入れ、吐出するようにすることもできる。また（ｂ）に示すように第１及び第２の実施形態と同様に、室内に空気を取り入れ、吐出することもできる。更には、その他の吊下げタイプの照明器具をはじめ、器具の形態を問わず応用可能である。
【００３０】
上記、第１の実施形態において、空気の取入孔２２０を拡散部２２の周縁に、吐出孔２２２を中央に配置した例、及び第２の実施形態において、空気の取入孔２２０を拡散部２２の中央に、吐出孔２２２を周縁に配置した例を示した。これに限定するものではなく、天井板８０の取付面８００を境として二つの空間に分けたときに、一方の空間から取入孔２２０を介して筐体２０へ空気を取り入れ、同一の空間から吐出孔２２２を介して空気を吐出するように設けられていればよい。例えば、同一空間の空気を取り入れ、吐出するのであれば、取入孔２２０及び吐出孔２２２を拡散部２２の周縁に配置してもよい。更には、拡散部２２に取入孔２２０及び吐出孔２２２を形成するのではなく、外囲体２１に形成し、天井板８０の取付面８００を境として他方の同一空間から空気を取り入れ、吐出するようにしてもよい。このようにすることで、例えば、一方の空間が清浄な空間あり、他方の空間が塵埃の多い空間であったときに、取入孔２２０及び吐出孔２２２を一方の空間から空気を取り入れるように配置させる。このようにすることで、ＬＥＤ３０が塵埃に触れることを抑制し、器具寿命を延ばすことができる。
【００３１】
上記第１及び第２の実施形態において、発光部をＬＥＤ３０として説明したが、有機ＥＬを発光部とする照明器具にも適用可能である。
【００３２】
また、筐体２０を桶状に形成された外囲体２１と円板状に形成された拡散部２２とから構成されるとして説明したが、照明器具１０の内部空間と外部空間とを区切り、発光部及び駆動回路から発せられる熱を蓄熱するような形状であれば、その形状に係わらず適用できる。例えば、外囲体２１は、籠状、台座状等であってもよく、拡散部はグローブ状等であってもよい。
【００３３】
また、送風機として、軸流ファン５０及び遠心ファン５２を用いて説明したが、空気の流れを生じさせるものであれば、実施形態に示したファンである必要はなく、ブロワタイプのものでも可能である。更に、軸流ファン５０及び遠心ファン５２を用いずに、斜流ファン又は横流ファンを用いるようにしてもよい。この場合、斜流ファン又は横流ファンによって生じる空気流の経路上に放熱部を配設し、並びに駆動基板４０及びＬＥＤ取付基板３２等に開孔を形成するようにすることで、同様の効果を得ることができる。なお、放熱部を効率的に冷却するため、送風機を複数配置するようにすることで、風量を増加させ、更に放熱部を通るように流路を整えるようにしてもよい。
【００３４】
また、取入孔２２０近傍に埃の侵入を防ぐフィルタを設置してもよい。
【００３５】
また、ファン５０，５２が停止したときに減光又は消灯したり、サーミスタ又は熱電対等を用いて、器具内温度に応じてファン５０，５２の回転スピードを可変制御するなどの制御を行ってもよい。
【００３６】
また、ファン５０，５２をＯＮ／ＯＦＦするための構成も、図３（ａ）に限定されず、適宜変更可能である。駆動回路４０２の変形例を図３（ｂ）を参照して説明する。
【００３７】
この例では、図３（ａ）の構成に、フォトセンサ７０と切替部７２とを追加した構成を有する。フォトセンサ７０は、フォトダイオード、フォトトランジスタ、太陽電池などから構成され、ＬＥＤ３０からの光を検出し、検出信号を切替部７２に出力する。切替部７２は、フォトセンサ７０が検出信号を出力していないときは、駆動回路４０２とファン５０，５２を電気的に切断し、フォトセンサ７０が検出信号を出力しているときは、駆動回路４０２とファン５０，５２とをバイメタルスイッチ６０を介して接続する。
【００３８】
この構成においては、図示せぬＯＮ／ＯＦＦスイッチがＯＮされると、駆動回路４０２は、直流電力をＬＥＤ３０に供給し、ＬＥＤ３０を点灯する。フォトセンサ７０は、ＬＥＤ３０からの光を検出し、検出信号を切替部７２に供給する。検出信号に応答して、切替部７２は、駆動回路４０２の出力端とファン５０，５２とをバイメタルスイッチ６０を介して接続する。当初は、筐体２０内は室温であり、バイメタルスイッチ６０はオフしており、ファン５０，５２は回転していない。時間が経過して、バイメタルスイッチ６０の温度が所定温度に達すると、バイメタルスイッチ６０がＯＮし、駆動回路４０２からの直流電力がファン５０，５２に供給され、ファン５０，５２が回転を開始する。これにより、筐体２０内が冷却され、温度は徐々に低下する。冷却により、筐体２０内の温度が低下し、バイメタルスイッチ６０が所定の温度未満になると、バイメタルスイッチ６０がオフし、ファン５０，５２への電力の供給が停止し、ファン５０，５２は停止する。
以後、同様の動作が繰り返される。
【００３９】
この構成によっても、筐体２０内の環境温度が所定の温度まで上昇したときのみにファン５０，５２を動作させることができ、消費電力をセーブすることができる。
【００４０】
なお、駆動回路等の構成は、図３（ａ）、（ｂ）に示すものに限定されず、例えば、図３（ｂ）の構成からバイメタルスイッチ６０を除去する等、適宜変更可能である。例えば、駆動回路４０２からＬＥＤ３０に電力を供給する回路とファン５０，５２に電力を供給する回路とを別々に構成してもよい。この場合、例えば、駆動回路４０２がＯＦＦされた後、ＬＥＤ３０への電力の供給を停止して消灯し、一方、バイメタルスイッチ６０がオフするまで、ファン５０，５２への電力の供給を継続してもよい。
【図面の簡単な説明】
【００４１】
【図１】本発明の第１の実施形態に係る照明器具の下面図である。
【図２】本発明の第１の実施形態に係る照明器具の天井に埋め込んだ状態を示す側面断面図である。
【図３】本発明の第１及び第２の実施形態に係る照明器具の（ａ）は、バイメタルスイッチを用いた構成図であり、（ｂ）は、バイメタルスイッチ及びフォトセンサを用いた構成図である。
【図４】本発明の第２の実施形態に係る照明器具の天井に埋め込んだ状態を示す側面断面図である。
【図５】本発明の第２の実施形態に係る照明器具の壁面に埋め込んだ状態を示す側面断面図である。
【図６】本発明の実施形態に係る照明器具の天井に埋め込まれ、天井裏から空気を取り入れ、天井裏へ吐出した状態を示す模式的な側面断面図であり、（ａ）は筐体の周縁から取り入れ、中央から吐出する状態を示し、（ｂ）は、筐体の中央から取り入れ、周縁から吐出する状態を示すものである。
【図７】本発明の実施形態に係る照明器具の天井面に取り付けられた状態を示す模式的な側面断面図であり、（ａ）は、天井裏から空気を取り入れ、天井裏へ吐出した状態を示し、（ｂ）は、室内から空気を取り入れ、室内へ吐出した状態を示すものである。
【符号の説明】
【００４２】
１０  ：照明器具
２０  ：筐体
２１  ：外囲体
２２  ：拡散部
２２０：取入孔
２２２：吐出孔
３０  ：ＬＥＤ
３４，４４  ：放熱部
４０  ：駆動基板
４０２：駆動回路
５０  ：ファン（軸流ファン）
５２  ：ファン（遠心ファン）
６０  ：バイメタルスイッチ
７０  ：フォトセンサ
７２  ：切替部
８０  ：天井板
【図１】
2010153198.tif 000003
【図２】
2010153198.tif 000004
【図３】
2010153198.tif 000005
【図４】
2010153198.tif 000006
【図５】
2010153198.tif 000007
【図６】
2010153198.tif 000008
【図７】
2010153198.tif 000009